(57)【要約】【課題】下部ユニットと上部ユニットを備え、下部ユニットで記録された媒体を上部ユニットの上面に排出する構成において、排出された媒体の視認性を確保する。【解決手段】記録装置は、記録部を備えた下部ユニットと、原稿を載置する原稿台及び当該原稿台に載置された原稿の画像を読み取る読み取り手段を備えるとともに、前記下部ユニットの上部に設けられる上部ユニットと、を有し、前記下部ユニットは、前記上部ユニットの上に媒体を排出する媒体排出手段と、前記記録部により記録が行われた媒体の直近の記録面を内側にして湾曲反転させて前記媒体排出手段に導く媒体排出経路と、を備え、前記上部ユニットは、前記媒体排出手段から排出された媒体を受ける媒体受け部を備えるとともに、回動することにより、前記媒体受け部上の媒体が水平に沿った姿勢となる第１状態と、前記媒体受け部上の媒体が傾斜姿勢となる第２状態と、を切り換え可能に設けられている。【選択図】図１
2020053731.tif 000002
【特許請求の範囲】
【請求項１】
媒体に記録を行う記録部を備えた下部ユニットと、
原稿を載置する原稿台及び当該原稿台に載置された原稿の画像を読み取る読み取り手段を備えるとともに、前記下部ユニットの上部に設けられる上部ユニットと、を有し、
前記下部ユニットは、前記上部ユニットの上に媒体を排出する媒体排出手段と、
前記記録部により記録が行われた媒体の直近の記録面を内側にして湾曲反転させて前記媒体排出手段に導く媒体排出経路と、を備え、
前記上部ユニットは、前記媒体排出手段から排出された媒体を受ける媒体受け部を備えるとともに、回動することにより、前記媒体受け部上の媒体が水平に沿った姿勢となる第１状態と、前記媒体受け部上の媒体が傾斜姿勢となる第２状態と、を切り換え可能に設けられている、
ことを特徴とする記録装置。
【請求項２】
請求項１に記載の記録装置において、前記媒体排出手段は、装置前方寄りに位置するとともに装置後方に向けて媒体を排出し、
前記上部ユニットは、前記第２状態において、媒体の傾斜姿勢が装置後方に向かって高くなる姿勢をとる、
ことを特徴とする記録装置。
【請求項３】
請求項１または請求項２に記載の記録装置において、前記媒体受け部は、前記原稿台を開閉するカバーである、
ことを特徴とする記録装置。
【請求項４】
請求項３に記載の記録装置において、前記カバーには、媒体排出方向の下流に、前記媒体排出手段から排出される媒体の先端が当接するストッパーが設けられている、
ことを特徴とする記録装置。
【請求項５】
請求項１から請求項４のいずれか一項に記載の記録装置において、ユーザーによる操作を受け付ける操作部を備え、
前記操作部は、装置奥行き方向において前方寄りに位置するとともに、装置幅方向において前記媒体受け部とオーバーラップする、
ことを特徴とする記録装置。
【請求項６】
請求項１から請求項５のいずれか一項に記載の記録装置において、前記下部ユニットは、給送前の媒体を傾斜姿勢に支持する媒体支持部を備え、
前記上部ユニットを前記第２状態にすることで、前記媒体支持部への媒体のセットが可能となる、
ことを特徴とする記録装置。
【請求項７】
請求項１から請求項６のいずれか一項に記載の記録装置において、前記上部ユニットは、前記第２状態から、更に開いた第３状態に向けて回動可能であり、
前記上部ユニットを前記第３状態にすることで、前記記録部を備えたキャリッジが露呈する、
ことを特徴とする記録装置。
【請求項８】
請求項１から請求項７のいずれか一項に記載の記録装置において、前記下部ユニットは、前記記録部の下側に位置する媒体収容部から送り出された媒体を湾曲反転させて前記記録部に導く媒体給送経路を備え、
前記媒体給送経路と前記媒体排出経路とが、鉛直方向においてオーバーラップする部位を有する、
ことを特徴とする記録装置。
【発明の詳細な説明】
【技術分野】
【０００１】
本発明は、媒体に記録を行う記録装置に関する。
【背景技術】
【０００２】
プリンターとスキャナーとを一体化した所謂複合機は従来から知られており、例えば特許文献１にその一例が示されている。  
特許文献１記載の画像形成装置は、画像形成ユニットの上部に画像読取ユニットを備えている。画像形成ユニットで画像形成された記録紙は、画像読取ユニットの原稿カバー上に排紙される。  
画像読取ユニットは装置の正面即ち前方から奥方に向けて下降傾斜した状態で固定されており、従って原稿カバーに排紙される記録紙も、装置前方から奥方に向けて下降傾斜した姿勢となる。
【先行技術文献】
【特許文献】
【０００３】
【特許文献１】特開２００７−１５５７９３号公報
【発明の概要】
【発明が解決しようとする課題】
【０００４】
特許文献１記載の画像形成装置では、原稿カバーに排紙される記録紙が、装置前方から奥方に向けて下降傾斜した姿勢となるので、装置の前方に位置するユーザーからして排紙された記録紙が視認し難いという欠点がある。  
加えて、原稿台も傾斜した状態となるので、原稿台に原稿を載置した際に原稿が滑り、適正なセット位置から動いてしまう虞もある。
【課題を解決するための手段】
【０００５】
上記課題を解決する為の、本発明の記録装置は、媒体に記録を行う記録部を備えた下部ユニットと、原稿を載置する原稿台及び当該原稿台に載置された原稿の画像を読み取る読み取り手段を備えるとともに、前記下部ユニットの上部に設けられる上部ユニットと、を有し、前記下部ユニットは、前記上部ユニットの上に媒体を排出する媒体排出手段と、前記記録部により記録が行われた媒体の直近の記録面を内側にして湾曲反転させて前記媒体排出手段に導く媒体排出経路と、を備え、前記上部ユニットは、前記媒体排出手段から排出された媒体を受ける媒体受け部を備えるとともに、回動することにより、前記媒体受け部上の媒体が水平に沿った姿勢となる第１状態と、前記媒体受け部上の媒体が傾斜姿勢となる第２状態と、を切り換え可能に設けられていることを特徴とする。
【図面の簡単な説明】
【０００６】
【図１】プリンターの外観斜視図。
【図２】プリンターの外観斜視図。
【図３】プリンターの外観斜視図。
【図４】プリンターの外観斜視図。
【図５】プリンターの外観斜視図。
【図６】プリンターの用紙搬送経路を示す側断面図。
【図７】プリンターの用紙搬送経路を示す側断面図。
【図８】プリンターの用紙搬送経路を示す側断面図。
【図９】プリンターの用紙搬送経路を示す側断面図。
【発明を実施するための形態】
【０００７】
以下、本発明を概略的に説明する。  
本発明の第１の態様に係る記録装置は、媒体に記録を行う記録部を備えた下部ユニットと、原稿を載置する原稿台及び当該原稿台に載置された原稿の画像を読み取る読み取り手段を備えるとともに、前記下部ユニットの上部に設けられる上部ユニットと、を有し、前記下部ユニットは、前記上部ユニットの上に媒体を排出する媒体排出手段と、前記記録部により記録が行われた媒体の直近の記録面を内側にして湾曲反転させて前記媒体排出手段に導く媒体排出経路と、を備え、前記上部ユニットは、前記媒体排出手段から排出された媒体を受ける媒体受け部を備えるとともに、回動することにより、前記媒体受け部上の媒体が水平に沿った姿勢となる第１状態と、前記媒体受け部上の媒体が傾斜姿勢となる第２状態と、を切り換え可能に設けられていることを特徴とする。
【０００８】
本態様によれば、下部ユニットと上部ユニットとを備えた記録装置において、前記上部ユニットは、前記下部ユニットの媒体排出手段から排出された媒体を受ける媒体受け部を備えるとともに、回動することにより、前記媒体受け部上の媒体が水平に沿った姿勢となる第１状態と、前記媒体受け部上の媒体が傾斜姿勢となる第２状態と、を切り換え可能に設けられているので、前記下部ユニットを第１状態にして前記媒体受け部に対し媒体を排出すれば、排出された媒体の視認性の低下を回避できる。また、前記上部ユニットが備える原稿台に原稿を載置した際に、原稿がセット位置から動いてしまう問題も抑制できる。  
また、媒体のスタック性を重視する場合には前記上部ユニットを前記第２状態にすれば、排出される媒体の前記媒体受け部上での整列性を向上できる。以上により、ユーザーにとって使い勝手の良い記録装置を構成できる。
【０００９】
尚、「媒体受け部上の媒体が水平に沿った姿勢となる」とは、媒体受け部上の媒体が完全な水平姿勢になる場合に限られず、多少の傾斜姿勢になる場合も含む意味である。
【００１０】
本発明の第２の態様は、第１の態様において、前記媒体排出手段は、装置前方寄りに位置するとともに装置後方に向けて媒体を排出し、前記上部ユニットは、前記第２状態において、媒体の傾斜姿勢が装置後方に向かって高くなる姿勢をとることを特徴とする。
【００１１】
本態様によれば、前記媒体排出手段は、装置前方寄りに位置するとともに装置後方に向けて媒体を排出し、前記上部ユニットは、前記第２状態において、媒体の傾斜姿勢が装置後方に向かって高くなる姿勢をとるので、前記上部ユニットを前記第２状態即ち傾斜状態としても、前記媒体受け部上の媒体を装置手前から良好に視認することができる。  
尚、「媒体排出手段が装置前方寄りに位置する」とは、前記媒体排出手段が、装置奥行き方向において中央位置と装置前面との間に位置することを意味する。
【００１２】
本発明の第３の態様は、第１のまたは第２の態様において、前記媒体受け部は、前記原稿台を開閉するカバーであることを特徴とする。  
本態様によれば、前記媒体受け部は、前記原稿台を開閉するカバーである構成において、上述した第１のまたは第２の態様の作用効果が得られる。
【００１３】
本発明の第４の態様は、第３の態様において、前記カバーには、媒体排出方向の下流に、前記媒体排出手段から排出される媒体の先端が当接するストッパーが設けられていることを特徴とする。  
本態様によれば、前記ストッパーにより、前記媒体排出手段から排出される媒体の、前記媒体受け部からの飛び出しを抑制できる。
【００１４】
本発明の第５の態様は、第１から第４の態様のいずれかにおいて、ユーザーによる操作を受け付ける操作部を備え、前記操作部は、装置奥行き方向において前方寄りに位置するとともに、装置幅方向において前記媒体受け部とオーバーラップすることを特徴とする。  
本態様によれば、ユーザーによる操作を受け付ける操作部が、装置奥行き方向において前方寄りに位置するので、操作性が良好であるとともに、装置幅方向において前記媒体受け部とオーバーラップするので、装置幅方向寸法を抑制することができる。  
尚、「操作部が装置前方寄りに位置する」とは、前記操作部が、装置奥行き方向において中央位置と前方位置との間に位置することを意味する。
【００１５】
本発明の第６の態様は、第１から第５の態様のいずれかにおいて、前記下部ユニットは、給送前の媒体を傾斜姿勢に支持する媒体支持部を備え、前記上部ユニットを前記第２状態にすることで、前記媒体支持部への媒体のセットが可能となることを特徴とする。  
本態様によれば、前記上部ユニットを前記第１状態から前記第２状態にすることで、前記下部ユニットが備える媒体支持部への媒体のセットが可能となる構成において、上述した第１から第５の態様のいずれかの作用効果が得られる。
【００１６】
本発明の第７の態様は、第１から第６の態様のいずれかにおいて、前記上部ユニットは、前記第２状態から、更に開いた第３状態に向けて回動可能であり、前記上部ユニットを前記第３状態にすることで、前記記録部を備えたキャリッジが露呈することを特徴とする。
【００１７】
本態様によれば、前記上部ユニットは、前記第２状態から、更に開いた第３状態に向けて回動可能であり、前記上部ユニットを前記第３状態にすることで、前記記録部を備えたキャリッジが露呈するので、前記キャリッジ及びその周辺へのアクセスが容易となり、メンテナンス作業を容易にできる。
【００１８】
本発明の第８の態様は、第１から第７の態様のいずれかにおいて、前記下部ユニットは、前記記録部の下側に位置する媒体収容部から送り出された媒体を湾曲反転させて前記記録部に導く媒体給送経路を備え、前記媒体給送経路と前記媒体排出経路とが、鉛直方向においてオーバーラップする部位を有することを特徴とする。
【００１９】
本態様によれば、前記媒体給送経路と、前記媒体排出経路とを備えた構成において、前記媒体給送経路と前記媒体排出経路とが、鉛直方向においてオーバーラップする部位を有するので、装置の鉛直方向寸法を抑制できる。
【００２０】
以下、本発明を具体的に説明する。  
以下では、本発明に係る記録装置の一例として、インクジェットプリンター１（以下、単にプリンター１と称する）を例に挙げるが、媒体の一例である用紙に記録を行う方式はインクジェット方式に限られず、電子写真方式、ドットインパクト方式等、種々のものを採用可能である。  
またインクジェット方式では、キャリッジにインクカートリッジを搭載するタイプ、キャリッジ外にインク収容部を設けて当該インク収容部とキャリッジとをインクチューブで接続するタイプ等、種々の形態があり、本発明はいずれの形態にも適用可能である。尚、本実施形態に係るプリンター１は、キャリッジ外にインク収容部を設けて当該インク収容部とキャリッジとをインクチューブで接続するタイプである。
【００２１】
尚、各図において示すＸ−Ｙ−Ｚ座標系はＸ方向が装置幅方向及び用紙幅方向であり、Ｙ方向が用紙に記録を行う際の用紙搬送方向及び装置奥行き方向であり、Ｚ方向が装置高さ方向及び鉛直方向を示している。尚、＋Ｙ方向が装置背面から装置前面に向かう方向であり、−Ｙ方向が装置前面から装置背面に向かう方向となる。  
尚、装置前面とは、装置において使用者であるユーザーと正対する面であり、装置の側面のうちいずれの側面が装置前面となるかは、装置構成や外観のデザインをもとに定まるものである。一例として、各種操作ボタンや表示部を備えて構成され、ユーザーによる操作を受け付ける操作部が設けられている場合、当該操作部が設けられている側が、多くの場合ユーザーと正対する側となる。  
また、以下では、用紙が搬送されていく方向を「下流」と称し、その反対を「上流」と称する。
【００２２】
図１においてプリンター１は、用紙に記録を行う下部ユニット２と、画像読取装置の一例であるスキャナーとして構成された上部ユニット３と、を備えている。即ち、プリンター１は所謂複合機である。
【００２３】
下部ユニット２には、装置奥行き方向において前方寄りに、操作部６が設けられている。操作部６は、複数の操作ボタンを備えている。本実施形態において操作部６は、プリンター１における記録動作及び画像読取動作を操作する為のユーザーインタフェースとして構成されている。尚、操作部６に、各種情報を表示する表示部を設けても良い。
【００２４】
下部ユニット２の前面には、第１カバー２６と第２カバー２７とが設けられている。第２カバー２７を開くことで、後述するフェイスダウン排出経路（用紙排出経路Ｒ３：図６）でジャムが生じた場合のジャム処理を行うことができる。  
また、第１カバー２６を開き、且つ経路切替フラップ２５（図６）を開くことで、後述するフェイスアップ排出を実行可能となる。  
第１カバー２６は、回動軸２６ａ（図６）を中心に回動することで開閉する。第２カバー２７は、第１カバー２６と一体となって、回動軸２６ａ（図６）を中心に回動することで開閉する。図３は、第１カバー２６と第２カバー２７とが一体となって回動し、開いた状態を示している。  
第１カバー２６と第２カバー２７とが一体となって回動し、開いた場合、第１カバー２６及び第２カバー２７は、後述するフェイスアップ排出経路としての用紙排出経路Ｒ４（図７）を介して排出される用紙を受ける用紙受け部として機能する。
【００２５】
上部ユニット３にはカバー４が設けられており、回動軸４ｃ（図６）を中心に回動することで、図１に示す様に閉じた状態と、図２に示す様に開いた状態とを切り換えることができる。カバー４を開くことで、原稿台５に原稿を載置可能となる。原稿台５の下側には、原稿を読み取る読み取り手段としての読取部３ａ（図６）が設けられている。上部ユニット３はフラットベッド型のスキャナーであり、読取部３ａがＸ方向に移動することで、原稿台５に載置された原稿の読み取りが行われる。
【００２６】
続いて図６乃至図８を参照して、プリンター１において用紙が通る経路について説明する。  
図６乃至図８においては、用紙が通る経路を破線または一点鎖線で示している。具体的には、図６において符号Ｒ１は用紙給送経路を示している。用紙給送経路Ｒ１は、本実施形態では用紙収容部８から送りローラー対１２に至る経路である。また、符号Ｒ３は用紙排出経路を示している。用紙排出経路Ｒ３は、本実施形態では第２中間ローラー対１８から排出ローラー対２９に至る経路である。また図８において符号Ｒ５は用紙給送経路を示している。用紙給送経路Ｒ５は、本実施形態では装置後方の給送口６０から差し入れられた用紙が、給送ローラー６１を経て送りローラー対１２に至る経路である。また図８において符号Ｒ７はスイッチバック経路を示している。スイッチバック経路Ｒ７は、送りローラー対１２から従動ローラー１１ｄを経て従動ローラー１１ａに至る経路であり、用紙の両面に記録を行うために用紙を反転させる際に利用される経路で或る。
【００２７】
以下、更に詳説する。下部ユニット２の底部には、複数枚の用紙を収容可能な用紙収容部８が設けられている。用紙収容部８に収容された用紙は、不図示のモーターにより駆動されるピックアップローラー９により下流に送り出される。図６において符号Ｐｈは、用紙収容部８に収容された用紙の一例を示している。  
ピックアップローラー９の下流には、不図示のモーターにより駆動される反転ローラー１０が設けられ、用紙収容部８から送り出された用紙は、反転ローラー１０により湾曲反転させられて、不図示のモーターにより駆動される下流の送りローラー対１２に向けて送られる。
【００２８】
尚、反転ローラー１０の周囲には、従動ローラー１１ａ、１１ｂ、１１ｃ、１１ｄ、が設けられており、これら従動ローラーによって用紙が反転ローラー１０に対して押し付けられる。  
尚、従動ローラー１１ａ、１１ｂ、１１ｃ、のこれらは用紙給送経路Ｒ１に設けられており、従動ローラー１１ｄは、スイッチバック経路Ｒ７（図８）に設けられている。
【００２９】
送りローラー対１２の下流には、用紙を支持する用紙支持部１６と、用紙に液体の一例であるインクを吐出して記録を実行する記録部の一例である記録ヘッド１５とが対向配置されている。記録ヘッド１５はキャリッジ１４に設けられ、キャリッジ１４は不図示のモーターにより用紙幅方向に往復駆動される。
【００３０】
記録ヘッド１５の下流には、第１中間ローラー対１７が設けられ、第１中間ローラー対１７の下流には、第２中間ローラー対１８が設けられている。記録の行われた用紙は、第１中間ローラー対１７及び第２中間ローラー対１８によって下流に送られる。
【００３１】
第２中間ローラー対１８の下流には、経路切替フラップ２５が設けられている。経路切替フラップ２５は、不図示の揺動軸を中心に揺動可能に設けられている。この経路切替フラップ２５は、本実施形態ではユーザー操作により揺動させる構成であるが、モーター等の動力を用いて自動で揺動させても良い。  
ここでプリンター１は、用紙排出経路として二つの経路を選択可能であり、一つは記録の行われた用紙の直近の記録面を下にして排出するフェイスダウン排出経路としての用紙排出経路Ｒ３であり、もう一つは記録の行われた用紙の直近の記録面を上にして排出するフェイスアップ排出経路としての用紙排出経路Ｒ４（図７）である。
【００３２】
フェイスダウン排出経路である用紙排出経路Ｒ３を利用する場合、経路切替フラップ２５は、図６で示す様な斜め傾斜姿勢で保持される。フェイスアップ排出経路である用紙排出経路Ｒ４を利用する場合、経路切替フラップ２５は、図７で示すような水平姿勢で保持される。  
経路切換フラップ２５の斜め傾斜姿勢での保持は、本実施形態では不図示のスナップフィット機構により成される。経路切換フラップ２５の水平姿勢での保持は、本実施形態では不図示の支持部で経路切換フラップ２５を支持することにより成される。
【００３３】
用紙を湾曲反転させる用紙排出経路Ｒ３の終了位置には、用紙排出手段としての排出ローラー対２９が設けられている。排出ローラー対２９は、不図示のモーターにより駆動される排出駆動ローラー２９ａと、従動回転する排出従動ローラー２９ｂとを備えて構成されている。  
排出ローラー対２９によって排出された用紙は、用紙受け部としてのカバー４によって受けられる。即ち本実施形態では、上部ユニット３が備えるカバー４の上面が、下部ユニット２から排出された用紙を受ける用紙受け面となる構成である。図６において符号Ｐｆは、カバー４に排出された用紙の一例を示している。
【００３４】
排出ローラー対２９の下流直近には、押さえフラップ２８が設けられている。押さえフラップ２８は揺動軸２８ａを中心に揺動可能に設けられており、図１に示す様に用紙幅方向において用紙の両側に位置している。押さえフラップ２８は排出される用紙を上から押さえることにより用紙排出方向に沿った山部を用紙に形成し、これにより用紙排出方向における用紙の剛性を向上さて、カバー４上における用紙の整列性を向上させる。
【００３５】
図１に示す様にカバー４の上部において用紙排出方向の下流には、排出ローラー対２９から排出される用紙の先端位置を規制する用紙ストッパー４ａが設けられている。用紙ストッパー４ａは、カバー４の上方に突出する形状を成している。この用紙ストッパー４ａにより、排出される用紙の、カバー４からの飛び出しが抑制される。  
またカバー４の上面には用紙排出方向に延びるリブ４ｂが用紙幅方向に亘って適宜の間隔で形成されており、排出される用紙との間の摩擦抵抗が軽減されている。
【００３６】
以上がプリンター１の大略構成であり、以下、上述のカバー４について更に説明する。図６において上部ユニット３は、下部ユニット２に対してフリーストップヒンジ３０を介して回動可能に連結されており、回動することにより、図１及び図６に示す様に下部ユニット２に対して閉じた状態と、図４及び図８に示す様に下部ユニット２に対して開いた状態と、を切り換え可能となっている。フリーストップヒンジ３０は、摩擦を利用した公知のトルクヒンジであり、上部ユニット３の開き角度を保持し、その保持角度は、無段階に調節できる。  
上部ユニット３は、換言すれば、回動することによりカバー４上の用紙が水平に沿った姿勢となる第１状態（図１、図６）と、カバー４上の用紙が傾斜姿勢となる第２状態（図４、図８）と、を切り換え可能に設けられている。
【００３７】
従って上部ユニット３を第１状態にしてカバー４に対し用紙を排出した場合、排出された用紙は装置後方に向かって下がり傾斜となる姿勢にならないので、排出された用紙の視認性の低下を回避できる。具体的には、本実施形態においてプリンター１の用紙排出経路Ｒ３は直近に記録が行われた用紙の記録面を内側にして湾曲反転させ、排出ローラー対２９によりカバー４に向けて排出するので、用紙の第１面に記録を行った後にその反対の第２面に記録を行った場合における前記第１面の視認性の低下を回避できる。  
加えて、上部ユニット３が備える原稿台５に原稿を載置した際に、原稿がセット位置から動いてしまう問題も抑制できる。  
そして排出ローラー対２９から排出される用紙のスタック性を重視する場合には、上部ユニット３を第２状態にすれば、排出される用紙のカバー４上での整列性を向上できる。即ち、上部ユニット３を第２状態にして用紙を排出すれば、排出される用紙の排出方向上流端部が揃い易くなる。以上により、ユーザーにとって使い勝手の良い装置を構成できる。
【００３８】
尚、「カバー４上の用紙が水平に沿った姿勢となる」とは、カバー４上の用紙が完全な水平姿勢になる場合に限られず、多少の傾斜姿勢になる場合も含む意味である。
【００３９】
また本実施形態において排出ローラー対２９は、装置前方寄りに位置するとともに装置後方に向けて用紙を排出し、上部ユニット３は、第２状態（図４、図８）において、用紙の傾斜姿勢が装置前面から背面に向かって高くなる姿勢をとる。  
従って上部ユニット３を第２状態即ち傾斜状態としても、カバー４上の用紙を装置手前から良好に視認することができる。  
尚、「排出ローラー対２９が装置前方寄りに位置する」とは、排出ローラー対２９が、装置奥行き方向において中央位置と装置前面との間に位置することを意味する。
【００４０】
また本実施形態において排出ローラー対２９から排出された用紙を受ける用紙受け部は、原稿台５を開閉するカバー４で構成される。但し、カバー４に代えて、複数枚の原稿を自動給送する原稿給送装置を設け、その上面を排出ローラー対２９から排出された用紙を受ける用紙受け面としても良い。また、原稿台５を、排出ローラー対２９から排出された用紙を受ける用紙受け部としても良い。
【００４１】
また本実施形態においてカバー４には、用紙排出方向の下流に、排出ローラー対２９から排出される用紙の先端が当接する用紙ストッパー４ａが設けられているので、排出ローラー対２９から排出される用紙の、カバー４からの飛び出しを抑制できる。  
尚、この用紙ストッパー４ａは、本実施形態では樹脂材料によりカバー４と一体的に構成されているが、例えば回動可能に設け、立った姿勢と倒れた姿勢とを切り換えることができるように構成しても良いし、或いは可撓性のある材料で形成し、変形できるように構成しても良い。
【００４２】
また本実施形態においてプリンター１は、図１に示したようにユーザーによる操作を受け付ける操作部６を備え、操作部６は、装置奥行き方向において前方寄りに位置するとともに、装置幅方向においてカバー４とオーバーラップする。特に本実施形態では、装置幅方向において操作部６は、カバー４の領域内にほぼ完全に入り込んだ状態となる。これにより、装置幅方向寸法をより一層抑制することができる。  
尚、「操作部６が装置前方寄りに位置する」とは、操作部６が、装置奥行き方向において中央位置と装置前面との間に位置することを意味する。
【００４３】
また本実施形態では、下部ユニット２は、図６に示す様に開閉カバー５９と、給送前の用紙を傾斜姿勢に支持する用紙支持部６３、６４と、を備えている。開閉カバー５９は、閉じた状態（図５、図６）と、開いた状態（図８）とを切り換え可能であり、開閉カバー５９を開くことで図８に示す様に給送口６０が形成される。開閉カバー５９は、開くことで用紙支持部６３、６４とともに用紙を傾斜姿勢に支持する。  
開閉カバー５９は、上部ユニット３を第２状態にすることで開閉することが可能であり、即ち上部ユニット３を第２状態にすることで用紙支持部６３、６４への用紙のセットが可能となる。  
用紙支持部６３、６４に支持された用紙は、給送ローラー６１と分離ローラー６２とでニップされ、送りローラー対１２へと送られる。
【００４４】
また本実施形態では、上部ユニット３は、図４及び図８に示す第２状態から更に開くことができ、図５及び図９に示す第３状態まで回動することができる。上部ユニット３を第３状態にすることで、下部ユニット２の開口部２ａを介してキャリッジ１４が露呈する。これによりキャリッジ１４及びその周辺へのアクセスが容易となり、メンテナンス作業を容易にできる。
【００４５】
また本実施形態では、下部ユニット２は、記録ヘッド１５の下側に位置する用紙収容部８から送り出された用紙を湾曲反転させて記録ヘッド１５に導く用紙給送経路Ｒ１と、記録が行われた用紙の直近の記録面を内側にして湾曲反転させて排出ローラー対２９に導く用紙排出経路Ｒ３と、を備え、用紙給送経路Ｒ１と用紙排出経路Ｒ３とが、鉛直方向においてオーバーラップする部位を有する。本実施形態においてこのオーバーラップする部位は、図６において符号Ｈ１で示す範囲である。  
この様な構成により、装置の鉛直方向寸法を抑制できる。
【００４６】
尚、上記実施形態においてカバー４は、Ｘ方向に沿って延びるとともに装置後方寄りに設けられた回動軸４ｃを中心に回動することで、装置後方に向けて開く構成であるが、Ｘ方向に沿って延びるとともに装置前方寄りに設けられた回動軸を中心に回動することで、装置前方に向けて開く構成でも構わない。また或いは、カバー４は、Ｙ方向に沿って延びるとともに装置右寄りに設けられた回動軸を中心に回動することで、右方向に向けて開く構成でも良いし、Ｙ方向に沿って延びるとともに装置左寄りに設けられた回動軸を中心に回動することで、左方向に向けて開く構成でも良い。
【００４７】
また、同様に上記実施形態において上部ユニット３は、Ｘ方向に沿って延びるとともに装置前方寄りに設けられたフリーストップヒンジ３０即ち回動軸を中心に回動することで、装置前方に向けて開く構成であるが、Ｘ方向に沿って延びるとともに装置後方に設けられた回動軸を中心に回動することで、装置後方に向けて開く構成でも構わない。また或いは、上部ユニット４は、Ｙ方向に沿って延びるとともに装置右寄りに設けられた回動軸を中心に回動することで、右方向に向けて開く構成でも良いし、Ｙ方向に沿って延びるとともに装置左寄りに設けられた回動軸を中心に回動することで、左方向に向けて開く構成でも良い。
【００４８】
更に本発明は上記において説明した実施形態に限定されることなく、特許請求の範囲に記載した発明の範囲内で、種々の変形が可能であり、それらも本発明の範囲内に含まれるものであることは言うまでもない。
【符号の説明】
【００４９】
１…インクジェットプリンター、２…下部ユニット、２ａ…開口部、３…上部ユニット、３ａ…読取部、４…開閉カバー、４ａ…用紙ストッパー、４ｂ…リブ、４ｃ…回動軸、５…原稿台、６…操作部、８…用紙収容部、９…ピックアップローラー、１０…反転ローラー、１１ａ、１１ｂ、１１ｃ、１１ｄ…従動ローラー、１２…送りローラー対、１４…キャリッジ、１５…記録ヘッド、１６…用紙支持部、１７…第１中間ローラー対、１８…第２中間ローラー対、２５…経路切替フラップ、２６…第１カバー、２７…第２カバー、２８…押さえフラップ、２８ａ…揺動軸、２９…排出ローラー対、３０…フリーストップヒンジ、５９…開閉カバー、６０…給送口、６１…給送ローラー、６２…分離ローラー、６３、６４…用紙支持部
【図１】
2020053731.tif 000003
【図２】
2020053731.tif 000004
【図３】
2020053731.tif 000005
【図４】
2020053731.tif 000006
【図５】
2020053731.tif 000007
【図６】
2020053731.tif 000008
【図７】
2020053731.tif 000009
【図８】
2020053731.tif 000010
【図９】
2020053731.tif 000011